(57)【特許請求の範囲】
【請求項１】
軸心に回転可能に支持されたワークと、前記軸心対称に配置された一対のダイスと、前記ワークの転造加工時における背分力を検出する歪センサと、を備えた転造盤を用いて、前記一対のダイス間の距離が一定になるように制御し、かつ前記ワークを挟持しながら互いに逆方向に移動させ前記ワーク外周面を転造加工する転造加工方法であって、前記ワーク諸元に対して前記一対のダイス間距離を予め設定した前転造加工指令距離と、前記ワーク諸元に対して前記前転造加工指令距離で複数の異なるワークを転造加工し測定した背分力の関数として前記一対のダイス間の距離を定めた後転造加工指令距離と、を予め設定し、前記一対のダイス間の距離を前記前転造加工指令距離に設定して前記ワークを前転造加工し、かつ、前記前転造加工中の背分力を測定し、前記測定した背分力から前記関数により前記後転造加工指令距離を求め、前記一対のダイス間の距離を前記求めた後転造加工指令距離に設定して前記ワークを後転造加工する転造加工方法であって、前記前転造加工は、ねじ転造用平ダイスを用いることで前記ワークにねじ転造を行う加工であり、前記後転造加工は、インボリュートスプライン用平ダイスを用いることで前記ワークにインボリュートスプライン転造を行う加工とすることで前記前転造加工で加工される前記ワークの軸方向部位と、前記後転造加工で加工される前記ワークの軸方向部位とを異なるものとし、かつ前記前転造加工時には前記歪センサを用いて前記ワークの背分力を測定しながら加工を行い、前記後転造加工時には前記背分力に応じて前記ワークのインボリュートスプラインのオーバーピン径寸法を補正する加工を行うことを特徴とする転造加工方法。
【請求項２】
前記後転造加工は、インボリュートスプライン用平ダイスを用いることで前記ワークにインボリュートスプライン転造を行う加工であって、前記ワークの軸心に対して歯筋が平行又はやまば又ははすばの歯形状の転造加工である請求項１記載の転造加工方法。
【請求項３】
前記前転造加工指令距離よりも前記後転造加工指令距離が小さくされていることを特徴とする請求項１記載の転造加工方法。
【請求項４】
前記一対のダイスは、前記軸心を中心に対称に回転可能にされた回転ダイスであって、前記一対のダイス間の距離は、前記一対の回転ダイスの回転軸間距離であることを特徴とする請求項１に記載の転造加工方法。
【発明の詳細な説明】
【技術分野】
【０００１】
本発明は、歯車やスプライン等の転造加工の転造加工精度向上に関し、特にインボリュートスプラインのオーバーピン径などの径寸法ばらつきの改善に関する。
【背景技術】
【０００２】
従来、軸心に回転可能に支持されたワークを軸心対称に配置された一対のダイスで挟持し押圧しながらワーク外周にねじ、歯車、スプライン、セレーション等を塑性加工する転造加工方法が知られている。かかる転造加工においては、ダイス間の距離を正確に制御することにより、ワークの仕上げ寸法精度を確保している。例えば、特許文献１のものは、１対の平ダイス底面間距離をＮＣ指令により補正動作できるＮＣ補正機構の例が開示されており、転造精度に影響する平ダイス間の距離の補正をＮＣ装置への補正値入力で行うことができ、平ダイス交換時の段取り替えが容易となる。また、ワークの転造幅が異なるワークに対しては、背分力変化を補正装置のサーボモータのエンコーダにより検出して平ダイス高さが一定になるよう補正できるとしている。
【０００３】
しかしながら、特許文献１の転造盤は、背分力変化を補正装置のサーボモータのエンコーダにより検出する方式のため、背分力の変化の検出感度が悪い。そこで、検出精度を向上させるために、ねじ転造用回転ダイスの特許文献２のものでは、転造時の反力が顕著に反映されて歪みを生じる両ダイス間をつなぐテンションバーの歪みを歪みゲージで測定し、この測定値に基づき転造時の加重(背分力)を求め、さらに、この加重が適正加重になるように回転ダイス間の距離を制御して適正加重でねじ転造を行うようにしている。
【０００４】
一方、一回の転造加工では、必ずしも形状や精度を確保できない場合がある。そこで、複数の転造盤を用いてワークを順次加工したり、一台の転造盤に複数の一対の転造平ダイスを軸方向に配置し、荒加工、中仕上げ加工、仕上げ加工の順に軸方向にワークの加工部位を移動させながら転造加工する（特許文献３）。しかし、設備が大きくなったり、複雑になる。そこで、特許文献４においては、ワークの両側に配置する一対の平ダイスの形状を中央の仕上げ歯群と、その両側の互いに左右対称な一対の食い付き兼逃げ歯群とで構成し、かかる平ダイスを1往復又は、数回往復動させ、各ダイスが各往復動死点に至った時点でその都度段階的に両ダイス間の間隔（距離）を狭めて両ダイスの移動ごとにワークの加工量を増加させて、転造加工を行っている。
【０００５】
さらに、特許文献５においては、一定形状の歯形状の凹凸部の最高高さとなる仕上げ部と、高さが徐々に低くなる調整部と、高さが急勾配で低くなる逃げ部を対称に設けて、ワークが逃げ部に位置した時に徐々に平ダイス間の間隔（距離）を縮めながらワークを往復転造するようにしている。また、特許文献６の従来例の第６図乃至第８図では、セレーションを２回転造するのではなく、ねじ転造とセレーション転造を連続して行い、一度の転造でねじとセレーションの転造加工を行っている。
【先行技術文献】
【特許文献】
【０００６】
【特許文献１】特許第２５５３８９１号公報
【特許文献２】特開２００３−２８５１３５号公報
【特許文献３】特公昭６３−６２９６号公報
【特許文献４】特開昭５８−１５７５４１号公報
【特許文献５】特開平１０−１１８７３３号公報
【特許文献６】特開平４−１８７３３７号公報
【発明の概要】
【発明が解決しようとする課題】
【０００７】
歯車の精度は、一般に歯車の対称位置の歯溝に所定ピンを当接させ、ピン間の距離を測定するいわゆるオーバーピン径で測定し評価する。前述したいずれの場合にもこの精度を上げるために、往復転造したり、複合転造を行っている。また、転造ダイス間の距離を高精度に制御している。一方、転造加工されるワーク素材は、転造加工精度を上げるため、その材質は比較的均一な素材が用いられている。
【０００８】
しかし、転造精度のさらなる向上が望まれる。また、ワーク材質もコスト等の理由から調達範囲が拡大され、ばらつきの大きい素材を使用しても良好な転造精度を要求されてきた。
【０００９】
本発明の課題は、かかる問題点に鑑みて、より高い転造精度を得ることであり、また、ワーク材質の変化や、ワーク材質のばらつきに対しても、良好な転造精度を得ることである。
【課題を解決するための手段】
【００１０】
本願発明者等は、かかるワーク材質と転造精度について、鋭意研究した結果、仕上げ転造にあたって単に転造ダイス間の距離を一定に制御するのみでは、安定した寸法を得られない。従来の平ダイス転造盤においては、平ダイスの底面間の距離は、通常オーバーピン径の調整機構により手作業で調整した後固定とされるため、被転造物の材料の硬さがばらつく場合に、転造荷重が増減するため、転造盤の弾性変形などにより転造加工中の平ダイスの底面間の距離も硬さに応じて増減し、加工されたインボリュートスプラインのオーバーピン径にばらつきが生じるということを知得した。即ち、転造精度のばらつきの原因が素材の硬さや粘りによる転造後のスプリングバックによるものであることを知得した。さらに、このスプリングバック量は転造時の背分力と密接な関係があることを知得した。
【００１１】
この知得により本発明においては、軸心に回転可能に支持されたワークと、前記軸心対称に配置された一対のダイスと、前記ワークの転造加工時における背分力を検出する歪センサと、を備えた転造盤を用いて、前記一対のダイス間の距離が一定になるように制御し、かつ前記ワークを挟持しながら互いに逆方向に移動させ前記ワーク外周面を転造加工する転造加工方法であって、前記ワーク諸元に対して前記一対のダイス間距離を予め設定した前転造加工指令距離と、前記ワーク諸元に対して前記前転造加工指令距離で複数の異なるワークを転造加工し測定した背分力の関数として前記一対のダイス間の距離を定めた後転造加工指令距離と、を予め設定し、前記一対のダイス間の距離を前記前転造加工指令距離に設定して前記ワークを前転造加工し、かつ、前記前転造加工中の背分力を測定し、前記測定した背分力から前記関数により前記後転造加工指令距離を求め、前記一対のダイス間の距離を前記求めた後転造加工指令距離に設定して前記ワークを後転造加工するようにした転造加工方法。前記測定した背分力から前記関数により前記後転造加工指令距離を求め、前記一対のダイス間の距離を前記求めた後転造加工指令距離に設定して前記ワークを後転造加工する転造加工方法であって、前記前転造加工は、ねじ転造用平ダイスを用いることで前記ワークにねじ転造を行う加工であり、前記後転造加工は、インボリュートスプライン用平ダイスを用いることで前記ワークにインボリュートスプライン転造を行う加工とすることで前記前転造加工で加工される前記ワークの軸方向部位と、前記後転造加工で加工される前記ワークの軸方向部位とを異なるものとし、かつ前記前転造加工時には前記歪センサを用いて前記ワークの背分力を測定しながら加工を行い、前記後転造加工時には前記背分力に応じて前記ワークのインボリュートスプラインのオーバーピン径寸法を補正する加工を行う転造加工方法を提供することにより前述した課題を解決した。
【００１２】
即ち、ワークの硬さや粘りが大きいと、背分力が大きくなり転造盤の変形も大きくなる。そのためワーク及び転造盤のダイス間距離等のスプリングバック量が大きくなる。一方、ワークの硬さや粘りが小さいと、背分力は小さく転造盤の変形も小さくなり、ワーク及び転造盤のダイス間距離等のスプリングバック量が小さくなる。このような関係に基づいて、後工程（例えば仕上げ転造）の転造を行う前に、前工程で背分力を測定し、平均より背分力が小さいときは、スプリングバック量は少ないのでダイス間距離を平均(標準)の場合より大きくする。また、平均より背分力が大きいときは、スプリングバック量が大きくなるので、ダイス間距離を平均の場合より小さくして仕上がり寸法を抑える。
【００１３】
かかる、関係を予めそれぞれのワークについて一定のダイス間距離で転造加工し、そのときの背分力を測定して、前転造加工の背分力に対して、適切な精度を得られるような後転造加工のダイス間距離を求めておく。このデータを転造盤の制御装置に記憶させ、実際の転造加工においては、加工すべきワークを前転造加工し、前転造加工中に背分力を測定し、後転造加工のダイス間距離を制御して、スプリングバック量の影響を少なくする。
【００１４】
なお、制御の容易さ、精度を確実にするためには、前転造は後転造での転造精度に直接影響のないような転造加工にすることが好ましい。また、転造加工の背分力の変化を、転造盤本体上に設けた歪センサで検出するようにし、ワークの硬さが変化する場合などの微小な背分力の変化を感度よく検出するのが好ましい。
【００１６】
また、ねじ転造とインボリュートスプライン転造を同一ワークに転造する複合転造において、ねじ転造用平ダイスを前転造の平ダイスとして、転造荷重を検出するようにし、インボリュートスプライン用平ダイスを前記後転造の平ダイスとして、オーバーピン径を自動調整するようにした。すなわち、前記前転造加工で加工される前記ワークの軸方向部位と、前記後転造加工で加工される前記ワークの軸方向部位とが異なる転造加工方法とした。
【００１７】
さらに、請求項２に記載の発明においては、前記後転造加工はインボリュートスプライン用平ダイスを用いることで前記ワークにインボリュートスプライン転造を行う加工であって、前記ワークの軸心に対して歯筋が平行又はやまば又ははすばの歯形状の転造加工である転造加工方法を提供する。また、請求項３に記載の発明においては、前記前転造加工指令距離よりも前記後転造加工指令距離が小さくされている転造加工方法とした。
【００１８】
すなわち、前転造加工としてのねじ転造は転造荷重が比較的小さく被加工物の硬さによる径寸法の変化が少ないためワーク１個毎の寸法補正は必要ではない。また、転造荷重(背分力)の変動が小さいためワーク硬さ変化による荷重の変化が感度よく検出できるので、スプライン等の転造に先立ち転造を行うと良い。ねじ転造で検出された背分力をもとに、後転造加工としてのスプライン用平ダイス間距離を補正する。スプライン転造加工では、転造荷重が比較的大きいためワークの硬度等により変化しやすいインボリュートスプラインのオーバーピン径をワーク１個毎に自動補正することができる。
【００２０】
また、かかる転造方法は平ダイスの他、丸（回転）ダイス等にも応用できる。そこで、請求項４に記載の発明においては、前記一対のダイスは、前記軸心を中心に対称に回転可能にされた回転ダイスであって、前記一対のダイス間の距離は、前記一対の回転ダイスの回転軸間距離である転造加工方法とした。
【発明の効果】
【００２１】
これにより、本発明おいては、転造加工において、前転造加工工程を設け、前転造加工での背分力を測定し、前転造の背分力に応じて予め設定されたダイス間距離で後転造加工のダイス間距離を都度制御（例えば、背分力が大きい場合はダイス間距離を小さく、小さい場合はダイス間距離を大きくする）するようにしたので、ワークの硬さ等のばらつきがあっても、スプリングバック等の影響を少なくし、精度の高い転造加工方法とすることができる。さらに、インボリュートスプライン転造において、ワークの硬度により変化しやすいインボリュートスプラインのオーバーピン径寸法を、ワーク１個毎に自動補正することが可能となり、ロット内のワーク硬度ばらつきの大きいワークの場合でも、安定したオーバーピン径寸法が得られる。
【００２２】
また、前転造加工をねじ転造としワーク硬さ変化による荷重の変化が感度よく検出できるので、後転造加工の補正がより正確にでき、後転造加工精度が向上する。また、インボリュートスプライン等では比較的転造荷重が大きいためワークの硬度によりオーバーピン径が変化しやすいが、ねじ転造での荷重の大きさに応じてワーク１個毎に自動補正できるのでオーバーピン径寸法を安定化することができる。
【００２３】
また、請求項３に記載の発明においては、歯車転造を２回以上の工程で行い、前転造加工指令距離よりも後転造加工指令距離が小さくしたので、従来の１回転造を２回転造とし、あるいは往復又は複数回転造の制御に背分力を測定して、その結果により後転造加工のダイス間距離を変更するだけで、精度の高い転造加工が可能となった。さらに、請求項４に記載の発明においては、一対のダイスを回転ダイスとし、一対の回転ダイスの回転軸間距離としたので、従来機であっても容易に精度の高い転造加工を実現できるものとなった。
【図面の簡単な説明】
【００２４】
【図１】本発明の第一の実施の形態を示す、ねじとスプラインの複数の平ダイスを用いた転造盤の正面図である。
【図２】図１の平ダイスのダイス間距離を調整するテーブルの一方の側の模式図である。
【図３】図２のＡ矢視図である。
【図４】図２のＡ矢視からみたワークの形状である。
【図５】平ダイスの正面図である。
【図６】本発明の第一の実施の形態を示す、（ａ）はねじ転造加工の背分力とねじの三針径との関係、（ｂ）は加工された三針径とスプラインのオーバーピン径寸法との関係を表す特性図である。
【図７】本発明の第一の実施の形態である転造加工工程を示す正面図である。（ａ）はねじ転造加工開始、（ｂ）はスプライン転造加工開始、（ｃ）複合転造完了位置を示す。
【図８】本発明の第二の実施の形態を示す、一組の平ダイスを用いた転造盤の正面図である。
【図９】図８の平ダイスのダイス間距離を調整するテーブルの一方の側の模式図である。
【図１０】本発明の第二の実施の形態を示す、前転造加工の背分力と後転造加工のオーバーピン径寸法との関係を表す特性図である。
【図１１】本発明の第二の実施の形態である転造加工工程を示す正面図である。（ａ）は前転造加工開始、（ｂ）は前転造加工完了、（ｃ）は戻り工程、（ｄ）は後転造加工完了位置を示す。
【発明を実施するための形態】
【００２５】
本発明の第一の実施の形態について図を用いて説明する。図１は本発明の第一の実施の形態を示すねじとスプラインの複数の平ダイスを用いた平ダイス式転造盤の正面図であり、ねじ転造加工中の状態を示している。図２は図１の平ダイスのダイス間距離を調整するテーブルの一方の側の模式図、図３は図２のＡ矢視図、図４は図２のＡ矢視からみたワークの形状、図５は平ダイスの正面図である。図４に示すように、ヘッドストック５２と、対向して設けられた芯押し５３との間に、ワーク（被加工物）４が保持され、軸心ｃに回転可能に支持されている。ワークの例はＣＶＪであり、符号５１はジョイントローラが入るカップ部である。図１に示すように、転造盤本体１６には、軸心ｃに対して点対称に一対の複合平ダイス２１乃至２４が配置されている。
【００２６】
複合平ダイスはねじ加工用ダイス２１（２３）及びスプライン加工用ダイス２２（２４）を一組として、左側のねじ加工用ダイス２１及びスプライン加工用ダイス２２は下方に、右側のねじ加工用ダイス２３及びスプライン加工用ダイス２４は上方に、軸心ｃに対して点対称の関係を保ち、ワーク４を挟持しながら逆方向に移動する。これにより、ねじ転造加工、インボリュートスプライン転造加工の順にワーク外周の転造加工が行われる。
【００２７】
図５に示すように、平ダイス２２は食付き歯部１、仕上げ歯部２、逃げ歯部３から構成されており、被加工物は食付き歯部から、仕上げ歯部、逃げ歯部を経て転造加工される。図１に示すように、ダイス２１乃至２４はそれぞれ移動テーブル１９，２０に固定され、移動テーブル１９，２０はコラム１７，１８のスライド上を図示しない駆動装置により互いに反対方向かつ平行に移動可能にされている。このとき転造加工により発生する力は、ワークを径方向に押しつぶす力の反力、すなわち平ダイスを底面に垂直に押す背分力２７が最も大きい。
【００２８】
図２、３に示すように、平ダイス２１、２２は、１組のくさび状部材７、８を介してテーブル１９に固定され、一方のくさび部材８はサーボモータ１０によりボールネジ９を回転させることにより、上下方向１１に移動できるようにされている。すなわち、サーボモータに所定の回転指令を与えることにより、くさび部材８を所定量上下に移動し、くさび面を介して平ダイス２１、２２を水平方向１３及び１２に正確に移動させる。これにより、ダイス間の距離を制御できる。これにより、ねじの三針径寸法やスプラインのオーバーピン径（以下「OPD」と略す）寸法のねらい値等を変化させることができる。
【００２９】
図１に示すように、転造盤１６のコラム１７，１８は本体前面パネル２６及び図示しない後面パネルにより強固に固定されている。前後面パネルはコラム１７，１８の剛性を増し、転造時の背分力に対向して位置を保持・確保する。前面パネル２６には歪センサ２５が取付けられており、加工中の背分力により、左右２８方向に引っ張られて生じる歪を検出できるようにされている。この歪センサの出力は、背分力に比例する。この背分力は一対の平ダイス底面方向の力を検出することとほぼ同等となる。
【００３０】
本第一の実施の形態ではかかる転造盤を用いて図４に示すようなCVJのアウターレースのワークのインボリュートスプライン１４とねじ１５を転造加工する。図６は、本発明の第一の実施の形態を示す、（ａ）はねじ転造加工の背分力とねじの三針径との関係、（ｂ）は加工された三針径とスプラインのオーバーピン径寸法との関係を表す特性図である。図６（ａ）に示すように、歪センサ出力ａのときの三針寸法をねらい寸法（規定寸法）に設定すると背分力の増加（ΔV）に対して、三針径寸法もほぼ比例して増加（Δｄ１）し、ワークのねじ三針径寸法と背分力とがほぼ直線関係にあることがわかる。これは、ワークのねじ三針径は、転造加工時のワークと平ダイス、転造盤の弾性変形の戻り量（スプリングバック量）の大小により決まり、スプリングバック量は転造加工時の背分力に比例すると考えられる。
【００３１】
さらに、ねじ転造加工時と、スプライン転造加工時の、ダイス間距離を所定寸法で一定とした場合、ねじ三針径とスプラインOPDの関係は、図６（ｂ）に示すように、ほぼ直線の比例関係となる。このときダイス間距離が一定であっても各寸法が変化するのは、ワーク間の硬さの微小な差によるものであり、硬いワークでは、スプリングバック量が大となるので、ねじ三針径とスプラインOPDともに大となり、柔らかいワークではその逆となる。
【００３２】
以上のことから、ねじ転造加工時の歪センサ出力値を測定し、規定値との差がわかれば、ねじ三針径寸法のねらい寸法からの差異とともに、スプラインのOPD寸法のねらい寸法からの差異がわかることになる。すなわち、ねじ転造加工時の、歪センサ出力により、スプライン転造時に補正すべきOPD寸法の値を求めることができる。
【００３３】
かかる考察を元に、図６から得られたねじ転造時の歪センサ出力、三針径寸法、スプラインOPD寸法の関係を用いて、ロット内でのワーク硬度ばらつきなどにより、転造加工中の背分力が変化する場合に、加工ワークのOPD寸法を一定に保ち、安定化させる方法について述べる。
【００３４】
図７は、本発明の第一の実施の形態である転造加工工程を示す正面図で（ａ）はねじ転造加工開始、（ｂ）はスプライン転造加工開始、（ｃ）複合転造完了位置を示す。図７（ａ）に示すように左側のねじダイス２１及びスプラインダイス２２は図でみて下方、右側ねじダイス２３及びスプラインダイス２４は図でみて上方に移動し、ねじ部１５を所定のダイス間距離で前転造加工し、図７（ｂ）で示すように、ねじ転造終了位置で一旦停止する。このときの背分力、好ましくはねじ仕上げ歯部転造加工時の背分力を歪センサで取得する。
【００３５】
次に、歪センサ出力値とねらい値との差、図６（ａ）のΔVからΔｄ１を求め、補正すべきスプラインのOPD寸法を図６（ｂ）のΔｄ１に対応するΔｄ２を算出する。次に、左右各ダイスを、スプライン加工のための所定の追込み量に加え、補正すべきOPD寸法Δｄ２の１／２の量をさらに追い込む。
【００３６】
さらに、ダイスを再度前進させ後転造加工を行い図７（ｃ）に示す位置で転造加工を完了する。これにより、加工されたワークのスプラインOPD寸法は、ロット内のワーク硬さがばらついていても、ワーク毎のバラつきが少なく、安定した加工寸法となる。
【００３７】
次に、本発明の第二の実施の形態について図を用いて説明する。図８は本発明の第二の実施の形態を示す、一組の平ダイスを用いた平ダイス式転造盤の正面図であり、転造加工中の状態を示している。図９は図８の平ダイスのダイス間距離を調整するテーブルの一方の側の模式図である。前述した第一の実施の形態と同様な部分は同符号を付し説明の一部を省略する。平ダイス５は前述した図５に示すものと同様であり、食付き歯部１、仕上げ歯部２、逃げ歯部３から構成されており、ワークは食付き歯部から、仕上げ歯部、逃げ歯部を経て転造加工される。
【００３８】
図８に示すように、ワーク４は図示しない両センタ装置により保持されており、左側平ダイス５は図でみて下方に、右側ダイス６は上方に、センタｃに対して点対称の関係を保ちながら移動することにより転造加工が行われる。平ダイス５，６は移動テーブル１９、２０に固定されており、移動テーブル１９、２０はコラム１７、１８のスライド上を図示しない駆動装置により互いに反対方向かつ平行に移動する。このとき転造加工により発生する力は、ワークを径方向に押しつぶす力の反力、すなわち平ダイスを底面に垂直に押す背分力３０が最も大きい。
【００３９】
図９に示すように、平ダイス５、６は、１組のくさび状部材７、８を介してテーブル１９に固定され、一方のくさび部材８はサーボモータ１０によりボールネジ９を回転させることにより、上下方向１１に移動できるようにされている。すなわち、例えばNC指令によりサーボモータに所定の回転指令を与えることにより、くさび部材８を所定量上下に移動し、くさび面を介して平ダイス５及び６を図示でみて水平方向１２に正確に移動させる。これにより、ダイス間の距離を制御できる。これにより、スプラインのOPD寸法のねらい値等を変化させることができる。
【００４０】
図８に示すように、転造盤１１の前面パネル２６には歪センサ２５が取付けられており、加工中の背分力により、左右３０、３１方向に引っ張られて生じる歪を検出できるようにされている。この歪センサの出力は、背分力に比例する。
【００４１】
図１０は、前転造加工の背分力（歪みセンサ出力）と後転造加工のオーバーピン径寸法との関係を表す特性図である。ワークを連続加工した際の、歪センサ出力とオーバーピン径寸法の関係を示す。図１０に示すように、歪センサ出力ａのときのOPD寸法をねらい寸法（規定寸法）に設定すると背分力の増加（ΔV）に対して、OPD寸法もほぼ比例して増加（Δｄ）し、ワークのOPD寸法と背分力とがほぼ直線関係にあることがわかる。これは、ワークのOPDは、転造加工時のワークと平ダイス、転造盤の弾性変形の戻り量（スプリングバック量）の大小により決まるが、スプリングバック量は転造加工時の背分力に比例すると考えられる。
【００４２】
以上のことから、前転造加工時の歪センサ出力を測定し、規定値との差がわかれば、OPD寸法のねらい値からの差異がわかることになる。すなわち、後転造時の補正すべきOPD寸法の値を求めることができる。
【００４３】
かかる考察を元に、図１０で求められた、歪センサ出力とOPD寸法の関係を用いて、ロット内でのワーク硬度ばらつきなどにより、転造加工中の背分力が変化する場合に、加工ワークのOPD寸法を一定に保ち、安定化させる方法について述べる。
【００４４】
図１１は本発明の第二の実施の形態である転造加工工程を示す正面図で（ａ）は前転造加工開始、（ｂ）は前転造加工完了、（ｃ）は戻り工程、（ｄ）は後転造加工完了位置を示す。図１１（ａ）に示すように、左側ダイス５は図でみて下方、右側ダイス６は上方に移動し、図１１（ｂ）で示す仕上げ歯部２の終わり近くで一旦停止する。このとき仕上げ歯部で発生する背分力を歪センサ２５で取得する。ここで、歪センサ出力値と規定値との差（ΔV）から、補正すべきOPD寸法（Δｄ）を図１０の関係から算出する。
【００４５】
次に、仕上げ歯部手前の図４（ｃ）の位置まで左右ダイス５、６を後退させ停止する。この位置ではワークとダイスが若干逃げた状態になっているが、ここで、左右各ダイスを所定の追込み量に加え、補正すべきOPD寸法（Δｄ）の１／２の量をさらに追い込む。さらに、ダイスを再度前進させ、図１１（ｄ）の状態で転造加工を完了する。このとき、加工されたワークのOPD寸法は、ロット内のワーク硬さがばらついていても、ばらつきが少なく、安定した加工寸法となる。
【００４６】
第二の実施の形態においては、一方向用の平ダイスを二回動作させて、背分力を測定するための前転造加工を行った後、ダイスを戻し、ダイス間距離を縮めて仕上げ転造加工を後転造加工として行い精度の向上を図った。同様に、前述した特許文献４又は特許文献５のようにダイス間距離を順次接近させながら往復転造する場合にも適用できる。この場合、後転造加工を最終仕上げ寸法とし、前転造加工を直前の加工にして、背分力を測定し、この背分力に応じて最終仕上げ寸法の補正をすればよい。さらに、特許文献３のように、複数の転造ダイスを並べて順次転造加工する場合も、後転造加工を最終仕上げダイスで行い、前転造加工を隣接する直前のダイスで加工にして、背分力を測定し、この背分力に応じて最終仕上げ寸法の補正をすればよい。このように従来の往復転造加工、複数回転造加工にも適宜適用できる。
【００４７】
平ダイス及び平ダイス式転造盤について述べてきたが、前述した特許文献２のような回転（丸）ダイス及び回転ダイス式転造盤の場合も同様な加工が可能であることはいうまでもない。この場合は、最終仕上げ寸法時の回転ダイス軸間距離よりも大きな軸間距離で、前転造を行い同時に背分力を測定する。この背分力に応じて最終仕上げ時の回転ダイス軸間距離を補正し、後転造加工を行い仕上げ転造を行えばよい。その他については従来と同様であるので詳細な説明を割愛する。
【００４８】
以上述べたように、複数回転造を行い、前転造加工での背分力に応じて、後転造加工で仕上げ転造寸法の補正をするようにしたので、ワーク硬度アップによりインボリュートスプライン等のオーバーピン径寸法が大となるのを抑制し、寸法変化を抑え、精度の高い歯を形成することができる。なお、一対の平ダイス間の距離は、ＮＣプログラム等で、平ダイスのピッチ線間距離、あるいはオーバーピン間距離、あるいは一対の平ダイスが取り付けられる移動テーブル面間距離等適宜選択設定すればよい。
【符号の説明】
【００４９】
４    ワーク
５、６、２２、２４  （平）ダイス
２１、２３  （ねじ加工用）ダイス
１１、１６  転造盤
ｃ    軸心
ΔＶ  背分力（歪センサ出力）
【図１】
0005625718.tif 000002
【図２】
0005625718.tif 000003
【図３】
0005625718.tif 000004
【図４】
0005625718.tif 000005
【図５】
0005625718.tif 000006
【図６】
0005625718.tif 000007
【図７】
0005625718.tif 000008
【図８】
0005625718.tif 000009
【図９】
0005625718.tif 000010
【図１０】
0005625718.tif 000011
【図１１】
0005625718.tif 000012